(57)【要約】【課題】車両のダッシュボードの内部に配設した空調用のブロアファンから送り出された空調風を、風量を損なうことなく前部座席である運転席及び助手席の側に送り出し、かつ、その空調風の一部を後部座席の比較的広い範囲に送り出すことを可能とする。【解決手段】シートクッションとシートバックとヘッドレストとアームレストとを備えた車両用シートにおいて、アームレストはシートバックの側面に回動自在に取り付けられており、アームレストは内部にファンを備え、アームレストには、このアームレストをシートバックに対して倒した状態で下側に向いている面の側にファンに通じる吸気口と、ファンからアームレストの側面に通じる排気口とを形成した。【選択図】図４
2017218046.tif 000002
【特許請求の範囲】
【請求項１】
シートクッションとシートバックとヘッドレストとアームレストとを備えた車両用シートであって、前記アームレストは前記シートバックの側面に回動自在に取り付けられており、前記アームレストは内部にファンを備え、前記アームレストには、前記アームレストを前記シートバックに対して倒した状態で下側に向いている面に前記ファンに通じる吸気口と、前記ファンから前記アームレストの側面に通じる排気口とが形成されていることを特徴とする車両用シート。
【請求項２】
請求項１記載の車両用シートであって、前記シートバックには、前記アームレストを前記シートバックに対して立てた状態で前記アームレストに形成した前記排気口に対向する面に、前記シートバックの後方に通じる凹部が形成されていることを特徴とする車両用シート。
【請求項３】
請求項１記載の車両用シートであって、前記シートバックには、前記アームレストを前記シートバックに対して立てた状態で前記アームレストに形成した前記排気口に対向する面に、前記シートバックの前方に通じる凹部が形成されていることを特徴とする車両用シート。
【請求項４】
請求項１記載の車両用シートであって、前記シートバックには、前記アームレストを前記シートバックに対して立てた状態で前記アームレストに形成した前記排気口に対向する面に、前記シートバックの後方と前方に通じる凹部が形成されていることを特徴とする車両用シート。
【請求項５】
シートクッションとシートバックとヘッドレストとアームレストとを備えた車両用シートであって、前記アームレストは前記シートバックの側面に回動自在に取り付けられており、前記アームレストは内部にファンを備え、前記アームレストには、前記アームレストを前記シートバックに対して立てた状態で前記ファンを作動させたときに前記シートバックの前方の空気を吸い込む吸気口と、前記吸気口から吸い込んだ空気を前記アームレストの側面から前記シートバックとの間の空間に噴出する排気口とを備えていることを特徴とする車両用シート。
【請求項６】
請求項５記載の車両用シートであって、前記アームレストの排気口は、前記吸気口から吸い込んだ空気を前記シートバックの後方に噴出することを特徴とする車両用シート。
【請求項７】
請求項５記載の車両用シートであって、前記アームレストの排気口は、前記吸気口から吸い込んだ空気を前記シートバックの前方に噴出することを特徴とする車両用シート。
【請求項８】
請求項５記載の車両用シートであって、前記シートバックには、前記アームレストを前記シートバックに対して立てた状態で前記アームレストに形成した前記排気口に対向する面に、前記シートバックの前方又は後方に通じる凹部が形成されていることを特徴とする車両用シート。
【請求項９】
車両の運転席と助手席との間に備えられたセンターコンソールであって、前記センターコンソールの前方の面には前記運転席と助手席との側の空間に通じる開口部が形成されており、前記センターコンソールの後方の面の側には、前記前方の面に形成された開口部から前記センターコンソールの内部に前記運転席と助手席との側の空気を吸い込むファンと前記ファンで前記センターコンソールの内部に吸い込んだ前記運転席と助手席との側の空気を前記運転席と助手席との後方の側に排気する排気口と、前記排気口から排気される空気の噴出し方向を調節する吹き出し方向調整部とを備えていることを特徴とする車両用センターコンソール。
【請求項１０】
請求項９記載の車両用センターコンソールであって、前記開口部から前記ファンにかけて、前記車両用センターコンソールの内部で空間的につながっていることを特徴とする車両用センターコンソール。
【発明の詳細な説明】
【技術分野】
【０００１】
本発明は車両用シートに関し、特に、空調風を後部座席の側に送風する機能を備えた車両用シート及び車両用センターコンソールに関する。
【背景技術】
【０００２】
センターコンソールを備えた車両用シートとして、特許文献１には、特許請求の範囲の欄の請求項１に、車両の車室フロア上に後席の前方に位置するように装備され、後席の方へ空調風を案内する空調ダクトが内部に配設される車両用センターコンソールにおいて、前記後席に着座した後席乗員が使用可能な収納ボックスと、前記収納ボックスに後席乗員がアクセス可能に後方へ開口する収納ボックス開口と、前記収納ボックス開口と並設され、前記空調ダクトで案内された空調風を後方へ吹出す吹出口と、前記収納ボックス開口及び吹出口に対して共通の開閉部材を有し、この開閉部材が収納ボックス開口と吹出口とを開閉可能にする開閉機構と、を備えたことを特徴とする車両用センターコンソールが記載されている。
【０００３】
また、特許文献２には、実用新案登録請求の範囲の欄に、シートクッション部と、シートバック部と、前記シートバック部内から出し入れ自在に一端が回転可能に支持されているアームレストを備えた車両用シートであって、前記アームレスト内に送風機を設けるとともに、前記アームレストの側面に前記送風機で生起された風が吹き出される通風口を設けたことを特徴とする通気性車両用シートが記載されている。
【先行技術文献】
【特許文献】
【０００４】
【特許文献１】特開２０１０−３０３４６号公報
【特許文献２】実開平２−３３１１１号公報
【発明の概要】
【発明が解決しようとする課題】
【０００５】
特許文献１に記載されている車両用センターコンソールでは、ダッシュボードの内部に配設した空調用のブロアファンに空調ダクトを接続してセンターコンソールの内部に空調風を導入して、コンソール本体に形成された吹き出し口から後部座席の方向に空調風を吹き出す構成となっている。
【０００６】
しかし、特許文献１に記載されている車両用センターコンソールでは、後部座席の方向に空調風を送り出すための空調ダクトを空調用のブロアファンに接続する構造になっているために、空調用のブロアファンから前部座席である運転席及び助手席の側に送り出される空調風の風量が減少してしまうという不具合が発生する。
【０００７】
一方、特許文献２に記載されている車両用シートでは、アームレスト内に送風機を設ける構成となっているために、ダッシュボードの内部に配設した空調用のブロアファンから送り出された空調風は全量が前部座席である運転席及び助手席の側に送り出され、前部座席の側で空調風の風量が減少してしまうという不具合は発生しない。
【０００８】
しかし、特許文献２に記載されている構成では、アームレスト内に送風機で送り出される風は、前部座席である運転席及び助手席の側のシートバック部に送り出されるだけで、後部座席の側にも空調風を送り出すことについては配慮されていない。
【０００９】
本発明は、上記した従来技術の課題を解決して、ダッシュボードの内部に配設した空調用のブロアファンから送り出された空調風を、風量を損なうことなく前部座席である運転席及び助手席の側に送り出し、かつ、その空調風の一部を後部座席の比較的広い範囲に送り出すことを可能とするような構成を備えた車両用シート及び車両用センターコンソールを提供するものである。
【課題を解決するための手段】
【００１０】
上記した従来技術の課題を解決するために、本発明では、シートクッションとシートバックとヘッドレストとアームレストとを備えた車両用シートにおいて、アームレストはシートバックの側面に回動自在に取り付けられており、アームレストは内部にファンを備え、アームレストには、このアームレストをシートバックに対して倒した状態で下側に向いている面の側にファンに通じる吸気口と、ファンからアームレストの側面に通じる排気口とを形成した。
【００１１】
また、上記した従来技術の課題を解決するために、本発明では、シートクッションとシートバックとヘッドレストとアームレストとを備えた車両用シートにおいて、アームレストはシートバックの側面に回動自在に取り付けられており、アームレストは内部にファンを備え、アームレストには、アームレストをシートバックに対して立てた状態でファンを作動させたときにシートバックの前方の空気を吸い込む吸気口と、吸気口から吸い込んだ空気をアームレストの側面からシートバックとの間の空間に噴出する排気口とを備えて構成した。
【００１２】
更に、上記した従来技術の課題を解決するために、本発明では、車両の運転席と助手席との間に備えられた車両用センターコンソールを、このセンターコンソールの前方の面には運転席と助手席との側の空間に通じる開口部が形成されており、センターコンソールの後方の面の側には、前方の面に形成された開口部からセンターコンソールの内部に運転席と助手席との側の空気を吸い込むファンとこのファンでセンターコンソールの内部に吸い込んだ運転席と助手席との側の空気を運転席と助手席との後方の側に排気する排気口と、排気口から排気される空気の噴出し方向を調節する吹き出し方向調整部とを備えて構成した。
【発明の効果】
【００１３】
本発明によれば、ダッシュボードの内部に配設した空調用のブロアファンから送り出された空調風を、風量を損なうことなく前部座席である運転席及び助手席の側に送り出し、かつ、その空調風の一部を後部座席の比較的広い範囲に送り出すことが可能となり、前部座席に着座した搭乗者の爽快感を損なうことなく、後部座席に着座した搭乗者の爽快感を向上させることができるようになった。
【図面の簡単な説明】
【００１４】
【図１】本発明の実施例１に係る車両用シートで、アームレストを倒した状態における車両用シート斜視図である。
【図２】本発明の実施例１に係る車両用シートで、アームレストを立てた状態における車両用シート斜視図である。
【図３】本発明の実施例１に係る車両用シートで、図２のＡ−Ａ断面図である。
【図４】本発明の実施例１に係る車両用シートで、図２のＢ−Ｂ断面図である。
【図５】本発明の実施例１に係る車両の屋根を外した状態の平面図である。
【図６】本発明の実施例１の変形例１に係る車両用シートで、図２のＢ−Ｂ断面に対応する面の断面図である。
【図７】本発明の実施例１の変形例２に係る車両用シートで、図２のＢ−Ｂ断面に対応する面の断面図である。
【図８】本発明の実施例１の変形例３に係る車両用シートで、運転席側のアームレストと助手席側のアームレストを、何れも立てた状態における車両用シート斜視図である。
【図９】本発明の実施例１の変形例３に係る車両用シートで、図２のＢ−Ｂ断面に対応する面の断面図である。
【図１０】本発明の実施例２に係る車両用センターコンソールと車両用シートとの斜視図である。
【図１１】本発明の実施例２に係る車両用センターコンソールの図１０におけるＣ−Ｃ断面図である。
【発明を実施するための形態】
【００１５】
本発明は、空調用のブロアファンから送り出された空調風を、風量を損なうことなく前部座席である運転席及び助手席の側に送り出し、かつ、その空調風の一部を後部座席の比較的広い範囲に送り出すことを可能とするような構成を備えた車両用シートである。
【００１６】
本実施の形態を説明するための全図において同一機能を有するものは同一の符号を付すようにし、その繰り返しの説明は原則として省略する。以下、本発明の実施の形態を図面に基づいて詳細に説明する。
【００１７】
ただし、本発明は以下に示す実施の形態の記載内容に限定して解釈されるものではない。本発明の思想ないし趣旨から逸脱しない範囲で、その具体的構成を変更し得ることは当業者であれば容易に理解される。
【実施例１】
【００１８】
図１に、本実施例に係る車両用シート(以下、シートと記す)１００の外観を示す。シート１００は、搭乗者が着座するシートクッション１０１、着座した搭乗者が背をもたれるシートバック１０２、搭乗者の頭部を支えるヘッドレスト１０３、搭乗者が腕を置くアームレスト１０４を備えている。アームレスト１０４は、軸１０５を中心に回動可能な構造となっている。
【００１９】
図１に示した状態は、アームレスト１０４がシートクッション１０１の側（搭乗者の側）に倒されて、搭乗者が肘をアームレスト１０４の上に乗せられるような状態を示している。
【００２０】
一方、図２には、アームレスト１０４を軸１０５の周りに回動させてシートバック１０２の側面に沿って立てた状態(以下、立てた状態と記す)を示している。
【００２１】
図２におけるＡ−Ａ線に沿ったアームレスト１０４の断面を図３に示す。アームレスト１０４は、本体１０４１の外側を表皮１０４２で覆っており、本体１０４１の内部にファン１１０を備え、ファン１１０の前後に吸気側空間１１１と排気側空間１１２とが形成されている。
【００２２】
一方、図２のＢ−Ｂ線に沿ったシートバック１０２とアームレスト１０４の断面を図４に示す。アームレスト１０４には、排気側空間１１２に通じる排気口１０４３と１０４４とが両側に設けられている。排気口１０４３に対抗するシートバック１０２の側面１０２１の後部座席側(図４の上側)には傾斜面１０２２が形成されていて、アームレスト１０４の排気口１０４３との間に後部座席側に開放された空間が形成されている。
【００２３】
このような構成を有するアームレスト１０４を図２に示したように立てた状態でファン１１０を作動させると、ダッシュボード２(図５参照)の内部に配設した図示していない空調用のブロアファンから送り出された空調風は全量が前部座席である運転席及び助手席の側に送り出され、その一部が図２の太い矢印で示すようにアームレスト１０４の側に送られる。
【００２４】
アームレスト１０４の側に達した空調風は、図４に示すように、ファン１１０を作動している状態で吸気側空間１１１から吸い込まれて、ファン１１０を通って排気側空間１１２に送り出され、排気口１０４３と１０４４とからアームレスト１０４の側面側に排出される。排気口１０４３からシートバック１０２の傾斜面１０２２の側に排出された空調風は、シートバック１０２の傾斜面１０２２に沿って流れて、後ろ側の後部座席(図４の上方)の側に送り出される。同様に、排気口１０４４から排出された空調風は、図示していない助手席側のシートバックに形成した傾斜面（図４の傾斜面１０２２に対応する面）に沿って後ろ側の後部座席の側に送り出される。
【００２５】
このように、空調風をシートバック１０２の傾斜面１０２２に沿って後部座席の側に送り出すことにより、シートバック１０２の上面１０４５の側に排気口を設けてファン１１０から送り出された空調風を直接後部座席側に送り出す場合と比べて、後部座席のより広い領域に空調風を送ることができる。
【００２６】
また、ダッシュボード２の内部に配設した図示していない空調用のブロアファンを停止させた状態であっても、ファン１１０を作動させて送風することにより、後部座席の側のより広い領域に強い空気の流れを作ることができる。
【００２７】
一方、図１に示したように、アームレスト１０４を倒した状態でファン１１０を作動させた場合、吸気側空間１１１は床面の側を向いており、図示していないダッシュボードの内部に配設した空調用のブロアファンから送り出された空調風のうち床面に近い側にたまっている比較的冷たい空調風が吸い上げられる。この吸い上げられた比較的冷たい空調風は、排気口１０４３及び１０４４から運転席及び助手席に着座している搭乗者の上半身の側に送り出される。
【００２８】
このとき、アームレスト１０４の上面１０４５には排気口が設けられておらず障害物がないので、シート１００に着座した搭乗者は、制限を受けることなくアームレスト１０４に肘を乗せて使用することができる。
【００２９】
図５に車両１の屋根を外した状態の平面図を示す。図５に示した車両１は、ダッシュボード２と、前部座席として運転席であるシート１００と助手席であるシート２００を備え、後部座席３００を備えた構成の場合を示している。図５に示した構成においては、運転席であるシート１００と助手席であるシート２００との間のアームレスト１０４が立てられた状態(図２に示した状態)を示している。
【００３０】
図５に示した状態でダッシュボード２の内部に配設した図示していない空調用のブロアファンを作動させると、ブロアファンから送り出された空調風は矢印４０１，４０２，４０３のように、前部座席である運転席のシート１００と助手席のシート２００の側に送り出される。このうち矢印４０３の方向に送り出された空調風の一部は、アームレスト１０４のファン１１０により吸気側空間１１１から吸い込まれて排気側空間１１２を通り、矢印４０３１及び４０３２に示すように排気口１０４３及び１０４４から後部座席３００の側の比較的広い領域に送り出される。
【００３１】
このように、ダッシュボード２の内部に配設した図示していない空調用のブロアファンから送り出された空調風は、全量が一旦前部座席の側に送り出され、その一部が後部座席の側に送り出される構造としたことにより、前部座席に着座した搭乗者の爽快感を損なうことなく後部座席に着座した搭乗者の爽快感を向上させることができる。
【００３２】
[変形例１]  
実施例１においては、アームレスト１０４のファン１１０により吸気側空間１１１から吸い込まれた空調風を全て後部座席３００の側に送り出す構成を説明したが、本変形例においては、アームレスト１０４−１のファン１１０により吸気側空間１１１から吸い込まれた空調風の一部を前部座席の側にも送り出すようにした。本変形例１に係るアームレスト１０４−１の構成について、図６を用いて説明する。
【００３３】
図６は、実施例１で説明した図４に示した構成に対応するものであって、ファン１１０により吸気側空間１１１から吸い込まれた空調風は、排気側空間１１２を通りシートバック１０２−１の側に形成した２つの排気口１０４３１と１０４３２から排出される。
【００３４】
このうち、排気口１０４３１から排出された空調風は、実施例１で説明した場合と同様に、シートバック１０２−１の側面１０２１に形成した傾斜面１０２２に沿って後部座席３００の側に送り出される。
【００３５】
一方、排気口１０４３２から排出された空調風は、シートバック１０２−１の側面１０２１に形成した傾斜面１０２３に沿って運転席のシート１００の側に送り出され、シート１００に着座した搭乗者の側面又は背面の側に当たる。助手席側のシート２００についても同様である。
【００３６】
このような構成とすることにより、後部座席３００の側の比較的広い領域に空調風を送り出すと同時に、運転席のシート１００及び助手席側のシート２００の側にも空調風が送り出され、後部座席３００に着座した搭乗者に加えて、シート１００又は２００に着座した搭乗者の快適性をより向上させることができる。
【００３７】
[変形例２]  
変形例１においては、アームレスト１０４−１のファン１１０により吸気側空間１１１から吸い込まれた空調風を排気口１０４３１と１０４３２から後部座席３００の側と運転席のシート１００及び助手席側のシート２００の側に送り出す構成について説明したが、本変形例においては、運転席のシート１００及び助手席側のシート２００の側だけに送り出す構成について説明する。
【００３８】
図７は、実施例１で説明した図４の断面図に対応する本変形例のアームレスト１０４−２とシートバック１０２−２の断面図を示す。
【００３９】
本変形例に係るシートバック１０２−２の側面１０２１には、アームレスト１０４−２の側面と接する部分から前方(着座者の側)に向かって傾斜面１０２４が形成されている。アームレスト１０４−２の排気口１０４３−１から排出された空調風は、傾斜面１０２４に沿って運転席のシート１００の側に送り出され、運転席のシート１００に着座した搭乗者の側面又は背面の側に当たる。助手席側のシート２００についても同様にアームレスト１０４−２の排気口１０４４−１から排出された空調風が助手席のシート２００に着座した搭乗者の側面又は背面の側に当たる。
【００４０】
このような構成とすることにより、運転席のシート１００及び助手席のシート２００の側に側面又は背後からも空調風が送り出され、シート１００又は２００に着座した搭乗者の快適性をより向上させることができる。
【００４１】
[変形例３]  
実施例１、変形例１及び変形例２においては、前部座席である運転席のシート１００と助手席のシート２００の間でアームレスト１０４又は１０４−１、１０４−２を共有する構成について説明したが、本変形例では、運転席のシート１００と助手席のシート２００の間でアームレスト１０４−３とアームレスト１０４−４とを別々に備えた場合について説明する。
【００４２】
図８に、本変形に係る車両用シートの外観図を示す。１００は運転席のシート、２００は助手席のシートである。運転席のシート１００にはアームレスト１０４−３が装着されており、助手席側のシート２００にはアームレスト１０４−４が装着されている。
【００４３】
本変形例におけるアームレスト１０４−３及び１０４−４と実施例１で図４を用いて説明したアームレスト１０４の構成との相違点は、実施例１におけるアームレスト１０４には左右の側面に排気口１０４３と１０４４とを設けたのに対して、本変形例では、アームレスト１０４−３には左側の側面にだけ排気口１０４３−３を設け、アームレスト１０４−４には右側の側面にだけ排気口１０４４−４を設けた点にある。
【００４４】
このように、アームレスト１０４−３及び１０４−４から個別に空調風を後部座席３００の側に送り出す構成としたことにより、後部座席３００の側には空調風をより強く送り出すことができる。
【００４５】
また、本変形例は、変形例１又は変形例２の構成にも適用することができる。その場合には、運転席のシート１００と助手席のシート２００とに個別に空調風を送るようにすることができる。
【実施例２】
【００４６】
実施例１及び変形例１乃至３では、運転席のシート１００と助手席のシート２００の間に回動可能なアームレスト１０４又は１０４−１乃至１０４−４を備えた場合について説明したが、本実施例では、運転席のシート１００と助手席のシート２００の間に車両用センターコンソールを備えた構成の場合について説明する。
【００４７】
図１０は、運転席のシート１００と助手席のシート２００の間に車両用センターコンソール(以下、センターコンソールと記す)５００を備えた構成を示す。センターコンソール５００は、カップホルダ部５０３，５０４や収納部５０５が形成され、収納部５０５は蓋５０２で覆われている。
【００４８】
センターコンソール５００の後部座席側（図１１の右側の面）にはファン５１０が取り付けられている。また、ファン５１０の噴出し口側５１１にはファン５１０から送り出された空調風の吹き出し方向を調整する吹き出し方向調整部５１２が取付けられている。
【００４９】
一方、センターコンソール５００の前部座席側（図１１の左側の面）下部には吸気口５２１が形成されており、吸気口５２１からファン５１０にかけては、空間５０６が形成されている。
【００５０】
このような構成で、ファン５１０を作動させると、ダッシュボード２の内部に配設した図示していない空調用のブロアファンから送り出された空調風は、全量が一旦前部座席の側に送り出され、その一部がセンターコンソール５００の吸気口５２１からセンターコンソール５００の内部の空間５０６に吸い込まれ、ファン５１０を通って噴出し口側５１１に設けた吹き出し方向調整部５１２から後部座席３００の側に噴出される。吹き出し方向調整部５１２を調整することにより、後部座席３００の側の任意の方向に空調風を送り出すことができる。
【００５１】
このように、本実施例によれば、ダッシュボード２の内部に配設した図示していない空調用のブロアファンから送り出された空調風は、全量が一旦前部座席の側に送り出され、その一部が後部座席の側に送り出される構造としたことにより、前部座席に着座した搭乗者の爽快感を損なうことなく後部座席に着座した搭乗者の爽快感を増すことができる。
【符号の説明】
【００５２】
１・・・車両    ２・・・ダッシュボード    １００，２００・・・シート    １０１，２０１・・・シートクッション    １０２，２０２・・・シートバック    １０３，２０３・・・ヘッドレスト    １０４,１０４−１，１０４−２，１０４−３，１０４−４・・・アームレスト    １１０，１１０−３，１１０−４・・・ファン    １１１・・・吸気側空間    １１２・・・排気側空間    １０４３，１０４４・・・排気口    ５００・・・センターコンソール    ５１０・・・ファン    ５１２・・・吹き出し方向調整部    ５２１・・・吸気口。
【図１】
2017218046.tif 000003
【図２】
2017218046.tif 000004
【図３】
2017218046.tif 000005
【図４】
2017218046.tif 000006
【図５】
2017218046.tif 000007
【図６】
2017218046.tif 000008
【図７】
2017218046.tif 000009
【図８】
2017218046.tif 000010
【図９】
2017218046.tif 000011
【図１０】
2017218046.tif 000012
【図１１】
2017218046.tif 000013